(57)【要約】ＣＲＴモニタのＭＴＦ測定値表示システムは、患者を撮影した診断画像情報と診断画像情報を記憶するワークステーションと診断画像情報を表示する表示装置において、ＭＴＦ測定用取りこみパターン画像を表示することが可能な表示装置と、表示装置前方に附設されて前記表示装置のＭＴＦ測定用取りこみパターン画像を取り込む受光センサと、前記受光センサに接続され前記ワークステーションに内蔵されてＭＴＦ測定用取りこみパターン画像の極大点と極小点を抽出処理する手段と、抽出処理する手段と接続された前記ワークステーションに内蔵のＭＴＦ測定用取りこみパターン画像の極大点と極小点を抽出処理情報からＭＴＦを計算する手段と、ＭＴＦを計算する手段と接続された表示装置内に存在してＭＴＦを含む性能パラメータを格納するメモリとから構成される。
2002042727.tif 000002
【特許請求の範囲】
【請求項１】
患者を撮影した診断画像情報と診断画像情報を記憶するワークステーションと診断画像情報を表示する表示装置において、
ＭＴＦ測定用取り込みパターン画像を表示することが可能な表示装置と、表示装置前方に附設されて前記表示装置のＭＴＦ測定用取りこみパターン画像を取り込む受光センサと、前記受光センサに接続され前記ワークステーションに内蔵されてＭＴＦ測定用取りこみパターン画像の極大点と極小点を抽出処理する手段と、抽出処理する手段と接続された前記ワークステーションに内蔵のＭＴＦ測定用取りこみパターン画像の極大点と極小点を抽出処理情報からＭＴＦを計算する手段と、ＭＴＦを計算する手段と接続された表示装置内に存在してＭＴＦを含む性能パラメータを格納するメモリとから構成されるＣＲＴモニタのＭＴＦ測定値表示システム。
【請求項２】
前記ＭＴＦを含む性能パラメータを格納するメモリに表示装置の製造情報または性能情報または環境情報とがリンクして記録されることを特徴とする請求項１に記載のＣＲＴモニタのＭＴＦ測定値表示システム。
【請求項３】
前記環境情報は、輝度とガンマ特性とからなることを特徴とする請求項２に記載のＣＲＴモニタのＭＴＦ測定値表示システム。
【請求項４】
前記ＭＴＦを含む性能パラメータを格納するメモリが、前記ワークステーションに内蔵されることを特徴とする請求項１ないし３いずれかに記載のＣＲＴモニタのＭＴＦ測定値表示システム。
【請求項５】
前記ＭＴＦ測定用取りこみパターン画像が、ＭＴＦ値計算時の基準値である直流成分パターンと求めようとするＭＴＦ値の交流成分パターンを同時に含む事を特徴とする請求項１ないし４いずれかに記載のＣＲＴモニタのＭＴＦ測定値表示システム。
【請求項６】
患者を撮影した診断画像情報と診断画像情報を記憶するワークステーションと診断画像情報を表示する表示方法において、
表示装置にＭＴＦ測定用取りこみパターン画像を表示する工程と、表示装置前方に附設された受光センサ前記表示装置のＭＴＦ測定用取りこみパターン画像を取り込む工程と、極大点と極小点を抽出処理する手段が前記受光センサに接続され前記ワークステーションに内蔵されてＭＴＦ測定用取りこみパターン画像データより極大点と極小点を抽出処理する工程と、ＭＴＦを計算する手段が抽出処理した情報よりＭＴＦ測定用取りこみパターン画像の極大点と極小点を抽出処理情報からＭＴＦを計算する工程と、計算したＭＴＦ情報をＭＴＦを含む性能パラメータを格納するメモリへ格納する工程よりなるＣＲＴモニタのＭＴＦ測定値表示方法。
【請求項７】
前記ＭＴＦを含む性能パラメータを格納するメモリに表示装置の製造情報または性能情報または環境情報とがリンクして記録されることを特徴とする請求項６に記載のＣＲＴモニタのＭＴＦ測定値表示方法。
【請求項８】
前記環境情報は、輝度とガンマ特性とからなることを特徴とする請求項７に記載のＣＲＴモニタのＭＴＦ測定値表示方法。
【請求項９】
前記ＭＴＦを含む性能パラメータを格納するメモリが、前記ワークステーションに内蔵されることを特徴とする請求項６ないし８いずれかに記載のＣＲＴモニタのＭＴＦ測定値表示方法。
【請求項１０】
前記ＭＴＦ測定用取りこみパターン画像が、ＭＴＦ値計算時の基準値である直流成分パターンと求めようとするＭＴＦ値の交流成分パターンを同時に含む事を特徴とする請求項６ないし９いずれかに記載のＣＲＴモニタのＭＴＦ測定値表示方法。
【発明の詳細な説明】
技術分野
本発明は、患者を撮影した診断画像情報と診断画像情報を記憶するワークステーションと診断画像情報を表示する表示装置のＭＴＦ測定値表示に関する。
背景技術
ここ数年間，ＣＲＴモニタを使用したＣＲＴ画像診断は、米国、欧州では活発になっている。２０００年今現在で世界市場への普及率は約５から８％程度で、今後８年間で約７０％まで普及されるといわれている。ＣＲＴ（またはいかなるディスプレイも含む）画像診断は従来の診断用Ｘ線フィルムから電気的に表示するディスプレイシステムに置き換わる中で、電気的に表示する診断用ディスプレイモニタはＸ線フィルムに比較して、極めて早い速度で画質が劣化するため、診断する医師のセキュリティ及び診断される患者の保証等を考慮し、簡単にモニタの性能パラメータ（輝度、ガンマ特性、ＭＴＦなど）をメンテナンス及び定量的に測定できることが重要となる。経時変化による画質の劣化は、誤診断になる恐れがあるからである。
そこで現状では、定期的にモニタのメンテナンスを実行している。そのなかで特にＭＴＦ（Ｍｏｄｕｌａｔｉｏｎ　Ｔｒａｎｓｆｅｒ　Ｆｕｎｃｔｉｏｎ）を定量的に測定することが重要となる。ＭＴＦとは、モニタ表示できる明暗の度合い（輝度値の範囲）で全面白色（ＤＣ）図３（ａ）の輝度Ａを１００％の基準として他の周波数ｆ（図３（ｂ）または（ｃ））で縞模様表示されたパターンの白色部の輝度をｂ（ｆ）としたときにこのｆにおけるＭＴＦ（ｆ）は（式１）で示される。
ＭＴＦ（ｆ）＝（ｂ（ｆ）／Ａ）＊１００　　　（式１）
図３（ｂ）に低周波ｆｌの場合の像を上部に輝度の変化を下部に示す。すなわち、黒色部と白色部が交互に連続する縞模様であるが、白色部と黒色部の巾が細かくないものである。この場合、輝度変化の振幅ｂ（ｆｌ）であるからＭＴＦは、（ｂ（ｆｌ）／Ａ）＊１００となる。
図３（ｃ）に高い周波数（ｆｈ）の場合の像を上部に輝度の変化を下部に示す。すなわち、黒色部と白色部が交互に連続する縞模様であるが、白色部と黒色部の巾が細かいものである。この場合、輝度変化の振幅ｂ（ｆｈ）であるからＭＴＦは、（ｂ（ｆｈ）／Ａ）＊１００となる。
図３（ｄ）は、ＭＴＦと周波数の関係をしめすグラフである。一般的に周波数が高くなるほどＭＴＦは低下する。また、使用時間が長いＣＲＴほどＭＴＦ値が低下する。
しかし、従来はＭＴＦの測定は実際には、ＣＲＴをメンテナンスする人間の目視で行なわれており、定量的な測定データはない。人間の目視は、個人差でばらつきが必ず発生するため客観的で厳密なデータではないため、正確なＭＴＦ値の比較は難しい。
また、従来のＭＴＦ測定器は実験室レベルで大掛かりなものが存在しているが、高価であり、測定に時間がかかり、実験用の測定は可能であるがメンテナンスすることは困難である。
そこで、本発明は、対象となるＣＲＴ診断画像を容易に短時間でＭＴＦを測定して記録し経時変化を記録可能なＭＴＦ測定システムを提供することを目的としている。
発明の開示
本発明に係るＣＲＴモニタのＭＴＦ測定値表示システムは、患者を撮影した診断画像情報と診断画像情報を記憶するワークステーションと診断画像情報を表示する表示装置において、ＭＴＦ測定用取りこみパターン画像を表示することが可能な表示装置と、表示装置前方に附設されて前記表示装置のＭＴＦ測定用取り込みパターン画像を取り込む受光センサと、前記受光センサに接続され前記ワークステーションに内蔵されてＭＴＦ測定用取りこみパターン画像の極大点と極小点を抽出処理する手段と、抽出処理する手段と接続された前記ワークステーションに内蔵のＭＴＦ測定用取りこみパターン画像の極大点と極小点を抽出処理情報からＭＴＦを計算する手段と、ＭＴＦを計算する手段と接続された表示装置内に存在してＭＴＦを含む性能パラメータを格納するメモリとから構成される。
このＭＴＦを含む性能パラメータを格納するメモリに表示装置の製造情報または性能情報または環境情報とがリンクして記録されることを特徴とする。
この環境情報は、輝度とガンマ特性とからなることを特徴とする。
このＭＴＦを含む性能パラメータを格納するメモリが、前記ワークステーションに内蔵されることを特徴とする。
このＭＴＦ測定用取りこみパターン画像が、ＭＴＦ値計算時の基準値である直流成分パターンと求めようとするＭＴＦ値の交流成分パターンを同時に含む事を特徴とする。
ＣＲＴモニタのＭＴＦ測定値表示方法は、患者を撮影した診断画像情報と診断画像情報を記憶するワークステーションと診断画像情報を表示する表示方法において、表示装置にＭＴＦ測定用取りこみパターン画像を表示する工程と、表示装置前方に附設された受光センサ前記表示装置のＭＴＦ測定用取りこみパターン画像を取り込む工程と、極大点と極小点を抽出処理する手段が前記受光センサに接続され前記ワークステーションに内蔵されてＭＴＦ測定用取りこみパターン画像データより極大点と極小点を抽出処理する工程と、ＭＴＦを計算する手段が抽出処理した情報よりＭＴＦ測定用取りこみパターン画像の極大点と極小点を抽出処理情報からＭＴＦを計算する工程と、計算したＭＴＦ情報をＭＴＦを含む性能パラメータを格納するメモリへ格納する工程よりなる。
このＭＴＦを含む性能パラメータを格納するメモリに表示装置の製造情報または性能情報または環境情報とがリンクして記録されることを特徴とする。
この環境情報は、輝度とガンマ特性とからなることを特徴とする。
このＭＴＦを含む性能パラメータを格納するメモリが、前記ワークステーションに内蔵されることを特徴とする。
このＭＴＦ測定用取りこみパターン画像が、ＭＴＦ値計算時の基準値である直流成分パターンと求めようとするＭＴＦ値の交流成分パターンを同時に含む事を特徴とする。
発明を実施するための最良の形態
本発明をより詳細に説述するために、添付の図面に従ってこれを説明する。
第１図は、この発明に係るＣＲＴモニタのＭＴＦ測定値表示システムの一実施形態のブロック図を示す。ＭＴＦ測定値表示システムは、ＣＲＴモニタ２と、ＣＲＴモニタ２接続されるワークステーション４と、ワークステーション４と接続されるＣＣＤセンサ６とから構成される。
ＣＲＴモニタ２は、ワークステーション４のモニタであり医療用画像を表示する。画像装置は、ＣＲＴに限定されるものではなく、液晶表示装置と、プラズマディスプレイ装置と、ＥＬディスプレイ等のワークステーション等の電子計算機の画像表示が可能であれば何れの装置であっても良い。
ＣＲＴモニタ２は、その製造日と、製造番号と、製造地を含む製造情報と、経時変化を含む輝度、ガンマ特性、ＭＴＦ等の性能情報を記録するためのメモリ１２を有する。
ＣＲＴモニタ２は、さらにＭＴＦを計測するための取りこみ画像パターン（図４）を表示する機能を有する。
ワークステーション４は、その内部にＣＣＤセンサ６に接続される極大極小点抽出処理ソフト８と、極大極小点抽出処理ソフト８に接続されるＭＴＦ計算ソフト１０とから構成される。
極大極小点抽出処理ソフト８は、ＣＲＴモニタ２全体に表示されたＭＴＦを計測するための取りこみ画像パターンをＣＣＤセンサ６が撮像したデータを受信する。極大極小点抽出処理ソフト８は、受信したＭＴＦを計測するための取り込み画像パターンより輝度の極大点と極小点を各周波数別に見つけ出して取り込む。
ＭＴＦ計算ソフト１０は、極大極小点抽出処理ソフト８の求めた輝度の極大点と極小点の差よりｂ（ｆ）を求める。
一方でＤＣである白色部の輝度と黒色部の輝度との差より式１におけるＡを求める。このｂ（ｆ）とＡよりＭＴＦが求まる。
ＣＣＤセンサ６は、ＣＲＴモニタ２全体に表示されたＭＴＦを計測するための取り込み画像パターンを撮像する機能を有する。特徴として、ＣＲＴモニタ２をスキャンしても良いがより好適には一括して全画像を撮像することが好ましい。撮像時間の短縮と撮像データを必要最小限のデータ量としてその後の処理時間を短縮するためである。また、撮像装置としてＣＣＤセンサに限定されるものでなく、ＣＭＯＳ撮像装置その他であっても良い。好適には、ＣＣＤセンサを使用するとその製造価格が低いため、従来の装置と比較して低価格で再現可能となる。
第２図は、この発明に係るＣＲＴモニタのＭＴＦ測定値表示システムの一実施形態を示す構成図を示す。ＭＴＦ測定値表示システムは、ＣＲＴモニタ２と、ＣＲＴモニタ２接続されるワークステーション４と、ワークステーション４と接続されるキーボード・マウス１６と、ワークステーション４と接続されるＣＣＤセンサ６とから構成される。
第４図は、この発明に係るＣＲＴモニタのＭＴＦ測定値表示システムにおけるモニタで表示する取りこみ画像パターン図である。
画像パターン図は、ＣＲＴモニタ水平方向の各周波数のＭＴＦおよびＣＲＴモニタ垂直方向の各周波数のＭＴＦを測定するために６個の画像パターン例を示した。
第４図（ａ）は、水平方向に低い周波数と限界周波数の組合わせパターンであり、第４図（ｂ）は、垂直方向に低い周波数と限界周波数の組合わせパターンであり、第４図（ｃ）は、水平方向に複数の異なる周波数の組合わせパターンであり、第４図（ｄ）は、垂直方向に複数の異なる周波数の組合わせパターンであり、第４図（ｅ）は、水平垂直方向に低い周波数と限界周波数の組合わせパターンであり、第４図（ｆ）は、水平垂直方向に複数の異なる周波数の組合わせパターンである。
また、パターンの組合わせとして、周波数成分を含まない直流成分すなわち、白のみおよび黒のみのパターンと、ＭＴＦを測定する交流成分であって低い周波数、限界周波数その他複数の周波数を同時に含むパターンを用意しても良い。このパターンを使用することで基準値である式１におけるＡとｂ（ｆ）の両数値を同時に測定する長所を有する。
さらに、これらのパターンは、一例に過ぎず全てを表示する必要は無い。表示するパターンはここに図示されたパターンに限定されるものでもない。
第５図は、この発明に係るＣＲＴモニタのＭＴＦ測定値表示方法を示すブロックダイヤグラムである。
先ず、スタート（Ａ２）ＣＲＴモニタ２は、その画面上にＭＴＦを計測するための取りこみ画像パターンを表示する（Ａ４）。ＭＴＦを計測するためである。
ＣＣＤセンサ６は、ＣＲＴモニタ２の画面上にＭＴＦを計測するための取りこみ画像パターンを撮像する（Ａ６）。この時、垂直方向、水平方向のスキャン方式で撮像することも可能であるが、より好適には一括撮像することが望ましい。
極大極小点抽出処理ソフト８は、ＣＲＴモニタ２全体に表示されたＭＴＦを計測するための取りこみ画像パターンをＣＣＤセンサ６が撮像したデータを受信する。
極大極小点抽出処理ソフト８は、受信したＭＴＦを計測するための取りこみ画像パターンより輝度の極大点と極小点を各周波数別に見つけ出して取り込む（Ａ８）。
この時、極大点や極小点が無い等のデータの有効性を判断し、無効である場合は、極大極小点抽出処理まで戻り、有効である場合は次工程へ進む（Ａ１０）。
ＭＴＦ計算ソフト１０は、極大極小点抽出処理ソフト８の求めた輝度の極大点と極小点の差よりｂ（ｆ）を求める。
一方でＤＣである白色部の輝度と黒色部の輝度との差より式１におけるＡを求める。このｂ（ｆ）とＡよりＭＴＦが求まる（Ａ１２）。
この時、ＭＴＦが０等のデータの有効性を判断し、無効である場合は、極大極小点抽出処理まで戻り、有効である場合は次工程へ進む（Ａ１４）。
データが有効であった場合は、ＭＴＦ計算ソフト１０は、ＭＴＦ測定結果をＣＲＴモニタ２内の経時変化を含む輝度、ガンマ特性、ＭＴＦ等の性能情報を記録するためのメモリ１２に記録（Ａ１６）して終了する（Ａ１８）。経時変化を含む輝度、ガンマ特性、ＭＴＦを記録することにより、医療診断において画像診断時の環境情報が記録されることで、常に最適な環境で診断しているかを容易に測定して記録できるとともに、医療裁判等で重要な証拠情報として活用が可能となる。
産業上の利用の可能性
以上説明したように、本発明に係るＣＲＴモニタのＭＴＦ測定値表示システムによれば、従来のＣＲＴディスプレイによる画像診断モニタは定期的に輝度（低、高）及びガンマ補正カーブのみであるのに対して、本発明によるＭＴＦ測定を追加することでＣＲＴ診断用モニタの重要パラメータが全てそろうこととなり、診断精度を定量的にメンテナンスすることが可能となる。
また、ＭＴＦの定量的な情報が取得でき、モニタの性能が客観的に確認でき、診断時にモニタの性能データとして結合できる。このことによって診断する医師が度のような環境で診断したのか証明が可能となる。
さらに、ＭＴＦ値を測定するのに１つのパターンの画像を取りこめば良いので時間がかからない。
その上、ＭＴＦ測定を簡単なＣＣＤセンサで行なっているので極めて簡単で安価なシステムで実現できる。
【図面の簡単な説明】
第１図は、この発明に係るＣＲＴモニタのＭＴＦ測定値表示システムの一実施形態のブロック図であり、
第２図は、この発明に係るＣＲＴモニタのＭＴＦ測定値表示システムの一実施形態を示す構成図であり、
第３図は、（ａ）はＤＣの場合の輝度とその画像をしめす概略図であり、（ｂ）は低い周波数（ｆｌ）の場合における輝度とその概略図をしめし、（ｃ）は高い周波数（ｆｈ）の場合における輝度とその概略図をしめし、（ｄ）はＭＴＦ対周波数の関係を示すグラフである。
第４図は、この発明に係るＣＲＴモニタのＭＴＦ測定値表示システムにおけるモニタで表示する取りこみ画像パターン図である。
第５図は、この発明に係るＣＲＴモニタのＭＴＦ測定値表示方法を示すブロックダイヤグラムである。
【図１】
2002042727.tif 000003
【図２】
2002042727.tif 000004
【図３】
2002042727.tif 000005
【図４】
2002042727.tif 000006
【図５】
2002042727.tif 000007
【手続補正書】
【提出日】平成13年5月28日(2001.5.28)
【手続補正１】
【補正対象書類名】明細書
【補正対象項目名】特許請求の範囲
【補正方法】変更
【補正の内容】
【特許請求の範囲】
【請求項１】
（補正後）患者を撮影した診断画像情報と診断画像情報を記憶するワークステーションと診断画像情報を表示する表示装置において、
ＭＴＦ測定用取り込みパターン画像を表示することが可能な表示装置と、表示装置前方に附設されて前記表示装置のＭＴＦ測定用取りこみパターン画像を取り込む受光センサと、前記受光センサに接続され前記ワークステーションに内蔵されてＭＴＦ測定用取りこみパターン画像からその輝度を測定したデータに基づいての極大点と極小点を抽出処理する手段と、抽出処理する手段と接続された前記ワークステーションに内蔵のＭＴＦ測定用取りこみパターン画像の輝度の極大点と極小点の抽出処理情報からＭＴＦを計算する手段と、ＭＴＦを計算する手段と接続された表示装置内に存在してＭＴＦを含む性能パラメータを順次格納して経時変化を記録するメモリとから構成されるＣＲＴモニタのＭＴＦ測定値表示システム。
【請求項２】
（補正後）前記ＭＴＦを含む性能パラメータを順次格納して経時変化を記録するメモリに表示装置の製造情報または性能情報または環境情報とがリンクして記録されることを特徴とする請求項１に記載のＣＲＴモニタのＭＴＦ測定値表示システム。
【請求項３】
前記環境情報は、輝度とガンマ特性とからなることを特徴とする請求項２に記載のＣＲＴモニタのＭＴＦ測定値表示システム。
【請求項４】
前記ＭＴＦを含む性能パラメータを格納するメモリが、前記ワークステーションに内蔵されることを特徴とする請求項１ないし３いずれかに記載のＣＲＴモニタのＭＴＦ測定値表示システム。
【請求項５】
前記ＭＴＦ測定用取りこみパターン画像が、ＭＴＦ値計算時の基準値である直流成分パターンと求めようとするＭＴＦ値の交流成分パターンを同時に含む事を特徴とする請求項１ないし４いずれかに記載のＣＲＴモニタのＭＴＦ測定値表示システム。
【請求項６】
（補正後）患者を撮影した診断画像情報と診断画像情報を記憶するワークステーションと診断画像情報を表示する表示方法において、
表示装置にＭＴＦ測定用取りこみパターン画像を表示する工程と、表示装置前方に附設された受光センサが前記表示装置のＭＴＦ測定用取りこみパターン画像を取り込む工程と、極大点と極小点を抽出処理する手段が前記受光センサに接続され前記ワークステーションに内蔵されてＭＴＦ測定用取りこみパターン画像データより極大点と極小点を抽出処理する工程と、ＭＴＦを計算する手段が抽出処理した情報よりＭＴＦ測定用取りこみパターン画像の極大点と極小点を抽出処理情報からＭＴＦを計算する工程と、計算したＭＴＦ情報をＭＴＦを含む性能パラメータを格納するメモリへ格納する工程よりなるＣＲＴモニタのＭＴＦ測定値表示方法。
【請求項７】
前記ＭＴＦを含む性能パラメータを格納するメモリに表示装置の製造情報または性能情報または環境情報とがリンクして記録されることを特徴とする請求項６に記載のＣＲＴモニタのＭＴＦ測定値表示方法。
【請求項８】
前記環境情報は、輝度とガンマ特性とからなることを特徴とする請求項７に記載のＣＲＴモニタのＭＴＦ測定値表示方法。
【請求項９】
前記ＭＴＦを含む性能パラメータを格納するメモリが、前記ワークステーションに内蔵されることを特徴とする請求項６ないし８いずれかに記載のＣＲＴモニタのＭＴＦ測定値表示方法。
【請求項１０】
前記ＭＴＦ測定用取りこみパターン画像が、ＭＴＦ値計算時の基準値である直流成分パターンと求めようとするＭＴＦ値の交流成分パターンを同時に含む事を特徴とする請求項６ないし９いずれかに記載のＣＲＴモニタのＭＴＦ測定値表示方法。
【手続補正書】
【提出日】平成14年8月30日(2002.8.30)
【手続補正１】
【補正対象書類名】明細書
【補正対象項目名】特許請求の範囲
【補正方法】変更
【補正の内容】
【特許請求の範囲】
【請求項１】
患者を撮影した診断画像情報と診断画像情報を記憶するワークステーションと診断画像情報を表示する表示装置において、
ＭＴＦ測定用取り込みパターン画像を表示することが可能な表示装置と、表示装置前方に附設されて前記表示装置のＭＴＦ測定用取りこみパターン画像を取り込む受光センサと、前記受光センサに接続され前記ワークステーションに内蔵されてＭＴＦ測定用取りこみパターン画像からその輝度を測定したデータに基づいての極大点と極小点を抽出処理する手段と、抽出処理する手段と接続された前記ワークステーションに内蔵のＭＴＦ測定用取りこみパターン画像の輝度の極大点と極小点の抽出処理情報からＭＴＦを計算する手段と、ＭＴＦを計算する手段と接続された表示装置内に存在してＭＴＦを含む性能パラメータを画像による医療診断時に順次格納して経時変化を記録するメモリとから構成されるＣＲＴモニタのＭＴＦ測定値表示システム。
【請求項２】
前記ＭＴＦを含む性能パラメータを画像による医療診断時に順次格納して経時変化を記録するメモリに表示装置の製造情報または性能情報または輝度とガンマ特性とからなる環境情報とがリンクして記録されることを特徴とする請求項１に記載のＣＲＴモニタのＭＴＦ測定値表示システム。
【請求項３】
削除
【請求項４】
前記ＭＴＦを含む性能パラメータを格納するメモリが、前記ワークステーションに内蔵されることを特徴とする請求項１ないし２いずれかに記載のＣＲＴモニタのＭＴＦ測定値表示システム。
【請求項５】
前記ＭＴＦ測定用取りこみパターン画像が、ＭＴＦ値計算時の基準値である直流成分パターンと求めようとするＭＴＦ値の交流成分パターンを同時に含む事を特徴とする請求項１ないし４いずれかに記載のＣＲＴモニタのＭＴＦ測定値表示システム。
【請求項６】
患者を撮影した診断画像情報と診断画像情報を記憶するワークステーションと診断画像情報を表示する表示方法において、
表示装置にＭＴＦ測定用取りこみパターン画像を表示する工程と、表示装置前方に附設された受光センサが前記表示装置のＭＴＦ測定用取りこみパターン画像を取り込む工程と、極大点と極小点を抽出処理する手段が前記受光センサに接続され前記ワークステーションに内蔵されてＭＴＦ測定用取りこみパターン画像データより極大点と極小点を抽出処理する工程と、ＭＴＦを計算する手段が抽出処理した情報よりＭＴＦ測定用取りこみパターン画像の極大点と極小点を抽出処理情報からＭＴＦを計算する工程と、計算したＭＴＦ情報をＭＴＦを含む性能パラメータを画像による医療診断時に順次格納して経時変化を記録する工程よりなるＣＲＴモニタのＭＴＦ測定値表示方法。
【請求項７】
前記ＭＴＦを含む性能パラメータを画像による医療診断時に順次格納して経時変化を記録するメモリに表示装置の製造情報または性能情報または輝度とガンマ特性とからなる環境情報とがリンクして記録されることを特徴とする請求項６に記載のＣＲＴモニタのＭＴＦ測定値表示方法。
【請求項８】
削除
【請求項９】
前記ＭＴＦを含む性能パラメータを格納するメモリが、前記ワークステーションに内蔵されることを特徴とする請求項６ないし７いずれかに記載のＣＲＴモニタのＭＴＦ測定値表示方法。
【請求項１０】
前記ＭＴＦ測定用取りこみパターン画像が、ＭＴＦ値計算時の基準値である直流成分パターンと求めようとするＭＴＦ値の交流成分パターンを同時に含む事を特徴とする請求項６ないし９いずれかに記載のＣＲＴモニタのＭＴＦ測定値表示方法。
【手続補正２】
【補正対象書類名】明細書
【補正対象項目名】０００３
【補正方法】変更
【補正の内容】
【０００３】
ン画像を取り込む受光センサと、前記受光センサに接続され前記ワークステーションに内蔵されてＭＴＦ測定用取りこみパターン画像からその輝度を測定したデータに基づいての極大点と極小点を抽出処理する手段と、抽出処理する手段と接続された前記ワークステーションに内蔵のＭＴＦ測定用取りこみパターン画像の輝度の極大点と極小点の抽出処理情報からＭＴＦを計算する手段と、ＭＴＦを計算する手段と接続された表示装置内に存在してＭＴＦを含む性能パラメータを画像による医療診断時に順次格納して経時変化を記録するメモリとから構成される。
このＭＴＦを含む性能パラメータを画像による医療診断時に順次格納して経時変化を記録するメモリに表示装置の製造情報または性能情報または輝度とガンマ特性とからなる環境情報とがリンクして記録されることを特徴とする。
このＭＴＦを含む性能パラメータを格納するメモリが、前記ワークステーションに内蔵されることを特徴とする。
このＭＴＦ測定用取りこみパターン画像が、ＭＴＦ値計算時の基準値である直流成分パターンと求めようとするＭＴＦ値の交流成分パターンを同時に含む事を特徴とする。
ＣＲＴモニタのＭＴＦ測定値表示方法は、患者を撮影した診断画像情報と診断画像情報を記憶するワークステーションと診断画像情報を表示する表示方法において、表示装置にＭＴＦ測定用取りこみパターン画像を表示する工程と、表示装置前方に附設された受光センサが前記表示装置のＭＴＦ測定用取りこみパターン画像を取り込む工程と、極大点と極小点を抽出処理する手段が前記受光センサに接続され前記ワークステーションに内蔵されてＭＴＦ測定用取りこみパターン画像データより極大点と極小点を抽出処理する工程と、ＭＴＦを計算する手段が抽出処理した情報よりＭＴＦ測定用取りこみパターン画像の極大点と極小点を抽出処理情報からＭＴＦを計算する工程と、計算したＭＴＦ情報をＭＴＦを含む性能パラメータを画像による医療診断時に順次格納して経時変化を記録する工程よりなる。
このＭＴＦを含む性能パラメータを画像による医療診断時に順次格納して経時変化を記録するメモリに表示装置の製造情報または性能情報または輝度とガンマ特性とからなる環境情報とがリンクして記録されることを特徴とする。


【手続補正３】
【補正対象書類名】明細書
【補正対象項目名】０００４
【補正方法】変更
【補正の内容】
【０００４】
このＭＴＦを含む性能パラメータを格納するメモリが、前記ワークステーションに内蔵されることを特徴とする。
このＭＴＦ測定用取りこみパターン画像が、ＭＴＦ値計算時の基準値である直流成分パターンと求めようとするＭＴＦ値の交流成分パターンを同時に含む事を特徴とする。
図面の簡単な説明
第１図は、この発明に係るＣＲＴモニタのＭＴＦ測定値表示システムの一実施形態のブロック図であり、
第２図は、この発明に係るＣＲＴモニタのＭＴＦ測定値表示システムの一実施形態を示す構成図であり、
第３図は、（ａ）はＤＣの場合の輝度とその画像をしめす概略図であり、（ｂ）は低い周波数（ｆｌ）の場合における輝度とその概略図をしめし、（ｃ）は高い周波数（ｆｈ）の場合における輝度とその概略図をしめし、（ｄ）はＭＴＦ対周波数の関係を示すグラフである。
第４図は、この発明に係るＣＲＴモニタのＭＴＦ測定値表示システムにおけるモニタで表示する取りこみ画像パターン図である。
第５図は、この発明に係るＣＲＴモニタのＭＴＦ測定値表示方法を示すブロックダイヤグラムである。
発明を実施するための最良の形態
本発明をより詳細に説述するために、添付の図面に従ってこれを説明する。
第１図は、この発明に係るＣＲＴモニタのＭＴＦ測定値表示システムの一実施形態のブロック図を示す。ＭＴＦ測定値表示システムは、ＣＲＴモニタ２と、ＣＲＴモニタ２接続されるワークステーション４と、ワークステーション４と接続される




【国際調査報告】
2002042727.tif 000008
2002042727.tif 000009
2002042727.tif 000010